(57)【要約】【課題】操作性を悪化させることなく伝達トルク容量を向上したクラッチ装置を提供する。【解決手段】クラッチ装置１を、エンジンの出力軸によって回転駆動されるフライホイール２０と、フライホイールに固定されるクラッチカバー３０と、フライホイールに対向しかつ軸方向に相対変位可能なようクラッチカバーに支持されるプレッシャープレート５０と、プレッシャープレートをクラッチカバー側へ付勢するダイアフラムスプリング６０と、変速機の入力軸に取り付けられフライホイールとプレッシャープレートとの間で挟持されるクラッチディスク４０と、プレッシャープレート及びクラッチカバーの一方に設けられたカム３４及び他方に設けられたカムフォロワ５２を有し、プレッシャープレートが伝達するトルクに感応してプレッシャープレートをクラッチディスク側へ押圧するトルクカム機構Ｔとを備える構成とする。【選択図】図２
2015187476.tif 000002
【特許請求の範囲】
【請求項１】
エンジンの出力軸によって回転駆動されるフライホイールと、
前記フライホイールにおける前記エンジンの反対側に固定されるクラッチカバーと、
前記フライホイールに対向しかつ前記クラッチカバーに対して軸方向に相対変位可能に支持されるプレッシャープレートと、
前記プレッシャープレートを前記クラッチカバー側へ付勢するダイアフラムスプリングと、
変速機の入力軸に取り付けられ前記フライホイールと前記プレッシャープレートとの間で挟持されるクラッチディスクと、
前記プレッシャープレート及び前記クラッチカバーの一方に設けられたカム及び他方に設けられたカムフォロワを有し、前記プレッシャープレートが伝達するトルクに感応して前記プレッシャープレートを前記クラッチディスク側へ押圧するトルクカム機構と
を備えることを特徴とするクラッチ装置。
【請求項２】
前記プレッシャープレートを前記クラッチカバー側へ付勢するリターンスプリングを備えること
を特徴とする請求項１に記載のクラッチ装置。
【発明の詳細な説明】
【技術分野】
【０００１】
本発明は、車両の動力伝達装置に設けられるクラッチ装置に関し、特に操作性を悪化させることなく伝達トルク容量を向上したものに関する。
【背景技術】
【０００２】
自動車のエンジンと変速機との間に設けられるクラッチ装置は、エンジンのフライホイールと、クラッチカバーに設けられダイアフラムスプリングによって付勢されるプレッシャープレートとの間に、摩擦材（フェーシング）を有するクラッチディスクを挟持（圧着）して構成される。
クラッチの切断は、ダイアフラムスプリングの内周縁部をレリーズベアリングによって軸方向に変位させ、圧着力を失わせることによって行われる。
このようなクラッチ装置において、高出力エンジンに対応して、クラッチ滑り等を生じることなく伝達可能なトルク容量を高めるための手法として、クラッチディスクの大径化、摩擦材の材質変更、多板クラッチ化、ダイアフラムスプリング強化などがあげられる。
【０００３】
しかし、クラッチディスクの大径化は、クラッチハウジングのサイズや他部品との干渉により制約を受ける。
また、摩擦材の材質変更では、摩擦力を大幅に増加させることは困難である。
また、ツインプレート等の多板クラッチは、伝達トルク容量は増加可能であるが、発進時の扱いやすさなど操作性が悪化し、一般のドライバが運転する乗用車などには適していない。
ダイアフラムスプリングを強化してバネ定数を増加させた場合、クラッチプレートの圧着力を高めて伝達トルク容量を増加させることは可能であるが、この場合クラッチペダルの踏力が増加して操作性が損なわれてしまう。
【０００４】
また、従来、クラッチ装置におけるトルク伝達経路の一部に、伝達トルクに感応して摩擦材の圧着力を高めるよう推力を発生するトルクカム機構を設けることが提案されている。
例えば、特許文献１には、摩擦板の滑りを利用してエンジントルク変動を吸収する捩じり振動吸収装置において、伝達トルクの増大に応じて摩擦板の圧着力を強化するトルクカム機構を設けることが記載されている。
また、特許文献２には、アイドルストップ機能を有する車両において、エンジンと自動変速機との間に設けられる電磁式の発進クラッチにトルクカム機構を設けることが記載されている。
また、特許文献３には、手動変速機に設けられるクラッチ装置において、レリーズベアリングのストロークを短縮するため、プレッシャープレートを軸方向に２分割するとともに、これらの間にトルクカム機構を設けることが記載されている。
【先行技術文献】
【特許文献】
【０００５】
【特許文献１】特開昭５９−１５１６２４号公報
【特許文献２】特開２００４−２３２８０７号公報
【特許文献３】特開２００９−２６４４０７号公報
【発明の概要】
【発明が解決しようとする課題】
【０００６】
上述した従来技術においては、いずれもクラッチ装置の操作力を抑制しつつ摩擦材の圧着力を増幅する機能を得ることはできない。
すなわち、特許文献１においては、捩り振動吸収装置にはトルクカム機構が設けられているものの、クラッチ装置自体は一般的な構成であって、上述した問題を解決するものではない。
また、特許文献２は、自動変速機用の電磁式発進クラッチという特殊な用途に係るものであり、手動変速機等に適用される一般的なクラッチ装置へのトルクカム機構の適用については何ら記載、示唆されていない。
また、特許文献３に記載された技術においては、トルクカム機構の推力は２分割されたプレッシャープレートを軸方向に押し広げるよう作用するが、この推力はダイアフラムスプリングを押し戻すよう作用するため、直接クラッチ板の圧着力強化にはつながらない。
上述した問題に鑑み、本発明の課題は、操作性を悪化させることなく伝達トルク容量を向上したクラッチ装置を提供することである。
【課題を解決するための手段】
【０００７】
本発明は、以下のような解決手段により、上述した課題を解決する。
請求項１に係る発明は、エンジンの出力軸によって回転駆動されるフライホイールと、前記フライホイールにおける前記エンジンの反対側に固定されるクラッチカバーと、前記フライホイールに対向しかつ前記クラッチカバーに対して軸方向に相対変位可能に支持されるプレッシャープレートと、前記プレッシャープレートを前記クラッチカバー側へ付勢するダイアフラムスプリングと、変速機の入力軸に取り付けられ前記フライホイールと前記プレッシャープレートとの間で挟持されるクラッチディスクと、前記プレッシャープレート及び前記クラッチカバーの一方に設けられたカム及び他方に設けられたカムフォロワを有し、前記プレッシャープレートが伝達するトルクに感応して前記プレッシャープレートを前記クラッチディスク側へ押圧するトルクカム機構とを備えることを特徴とするクラッチ装置である。
これによれば、プレッシャープレートとクラッチディスクとの間の伝達トルクに応じて、トルクカム機構の推力による圧着力の倍力効果が得られるため、ダイアフラムスプリングのバネ定数を増加させることなくクラッチディスクの圧着力を高め、伝達トルク容量を増加させることができる。
このため、高エンジントルクの車両であってもクラッチペダルの踏力を軽減して操作性を改善することができる。
また、エンジントルクに応じてクラッチ圧着力が変化するため、最大トルクの異なるエンジンを搭載する車両間でクラッチ装置の仕様を細分化する必要がなくなり、部品の共通化を図ることができる。
また、要求される伝達トルク容量が同じであれば、本発明を適用することにより、クラッチ装置を小型化して軽量化、省スペース化を図ることができる。
【０００８】
請求項２に係る発明は、前記プレッシャープレートを前記クラッチカバー側へ付勢するリターンスプリングを備えることを特徴とする請求項１に記載のクラッチ装置である。
これによれば、例えば空ぶかし（レーシング）時や発進時のようなエンジントルクが低い領域において、トルクカム機構による倍力効果をキャンセルして、意図しないクラッチの締結を防止することができる。
【発明の効果】
【０００９】
以上説明したように、本発明によれば、操作性を悪化させることなく伝達トルク容量を向上したクラッチ装置を提供することができる。
【図面の簡単な説明】
【００１０】
【図１】本発明を適用したクラッチ装置の実施例を軸方向と直交する平面で切って見た断面図である。
【図２】図１のII−II部矢視断面図（トルクカム機構の拡大図）である。
【図３】本発明の比較例であるクラッチ装置におけるエンジントルクとクラッチ圧着力との相関を示すグラフである。
【図４】実施例のクラッチ装置におけるエンジントルクとクラッチ圧着力との相関を示すグラフである。
【発明を実施するための形態】
【００１１】
本発明は、本発明の課題は、操作性を悪化させることなく伝達トルク容量を向上したクラッチ装置を提供する課題を、クラッチカバーとプレッシャープレートとの間に、プレッシャープレートの伝達トルクに感応してプレッシャープレートをクラッチディスク側へ押圧するトルクカム機構、及び、プレッシャープレートをクラッチカバー側へ付勢して低エンジントルク領域でのトルクカムによる倍力効果をキャンセルするリターンスプリングを設けることによって解決した。
【実施例】
【００１２】
以下、本発明を適用したクラッチ装置の実施例について説明する。
実施例のクラッチ装置は、例えば、ガソリンエンジン、ディーゼルエンジン等の内燃機関を走行用動力源とし、手動変速機を有する乗用車等の自動車に設けられるものである。
図１は、実施例のクラッチ装置を軸方向と直交する平面で切って見た断面図である。
クラッチ装置１は、図示しないエンジンと手動変速機であるトランスミッション１０との間に設けられ、エンジンの出力軸とトランスミッション１０のインプットシャフト１１との間で駆動力の伝達、切断を行うものである。
【００１３】
クラッチ装置１は、実質的にクラッチハウジング１２の内部に収容されたフライホイール２０、クラッチカバー３０、クラッチディスク４０、プレッシャープレート５０、ダイアフラムスプリング６０、レリーズベアリング７０等を有して構成されている。
クラッチハウジング１２は、トランスミッション１０の変速機構部等を収容する筐体であるトランスミッションケースのエンジン側の端部に設けられ、エンジン側に開口した空間部を有する。
クラッチハウジング１２の先端部は、図示しないエンジンのクランクケースに締結され固定される。
【００１４】
トランスミッション１０へ駆動力を入力するインプットシャフト１１は、エンジンの出力軸であるクランクシャフトと同心に配置されている。
インプットシャフト１１のエンジン側の端部は、トランスミッションケースの内部から、クラッチハウジング１２の内部へ突き出して配置されている。
インプットシャフト１１の先端部における外周面部には、クラッチディスク４０と係合するスプライン１１ａが形成されている。
【００１５】
フライホイール２０は、エンジンのクランクシャフトの端部に固定される円盤状の部材（回転質量体）である。
フライホイール２０におけるトランスミッション１０側の面部には、クラッチディスク４０との摩擦面が形成されている。
フライホイール２０の外周縁部には、図示しないスタータモータの駆動ギヤと係合する被駆動ギヤが形成されている。
【００１６】
クラッチカバー３０は、フライホイール２０のトランスミッション１０側に設けられ、フライホイール２０と共働してクラッチディスク４０等を収容する空間部を形成する円環状の部材である。
クラッチカバー３０の外周縁部３１は、フライホイール２０にボルト３１ａによって締結されている。
【００１７】
クラッチカバー３０は、外周縁部３１からトランスミッション１０側へ突き出して形成された円筒部３２と、円筒部３２のトランスミッション１０側の端部から内径側へ延びたダイアフラムスプリング保持部３３とを有する。
ダイアフラムスプリング保持部３３は、フライホイール２０の摩擦面と軸方向に間隔を隔てて配置され、クラッチディスク４０、プレッシャープレート５０、ダイアフラムスプリング６０の外径側の領域は、これらの間に収容される。
ダイアフラムスプリング保持部３３の中央部には、開口が形成されている。
これら外周縁部３１、円筒部３２、ダイアフラムスプリング保持部３３は、一体に形成されている。
【００１８】
クラッチディスク４０は、トランスミッション１０のインプットシャフト１１に取り付けられ、エンジン側からトランスミッション１０側へトルクを伝達する円盤状の部材である。
クラッチディスク４０は、インプットシャフト１１に対して径方向につば状に張り出して形成されている。
クラッチディスク４０は、金属製のプレート４１の両面に、摩擦材（フェーシング）４２を固定して構成されている。
これらの摩擦材４２が設けられたクラッチディスク４０の外径側の領域は、エンジンのクランクシャフトとともに回転するフライホイール２０及びプレッシャープレート５０によって挟持される。
【００１９】
クラッチディスク４０の内径側の領域には、スプライン係合部４３、ダンパ４４等が設けられている。
スプライン係合部４３は、クラッチディスク４０がインプットシャフト１１に取り付けられる基部である。
スプライン係合部４３は、トランスミッション１０のインプットシャフト１１が挿入され、スプライン１１ａと係合してトルク伝達を行うスプライン穴を有する。
スプライン係合部４３は、インプットシャフト１１に対して、軸方向に相対変位可能に支持されている。
ダンパ４４は、プレート４１及び摩擦材４２と、スプライン係合部４３との間の捩り振動を吸収する制振装置である。
【００２０】
プレッシャープレート５０は、クラッチカバー３０に対して軸方向に相対変位可能なよう支持された円盤状の部材であって、フライホイール２０と協働してクラッチディスク４０を挟持し、トルクを伝達するものである。
プレッシャープレート５０の中央部には、クラッチディスク４０のダンパ４４等が収容される開口部が形成されている。
プレッシャープレート５０のエンジン側の面部には、クラッチディスク４０との摩擦面が形成されている。
また、プレッシャープレート５０の摩擦面とは反対側の面部には、ダイアフラムスプリング６０によって押圧される突起５１が形成されている。
【００２１】
ダイアフラムスプリング６０は、クラッチカバー３０に対してプレッシャープレート５０をクラッチディスク４０側へ付勢して、クラッチディスク４０の圧着力を発生させるバネ部材である。
ダイアフラムスプリング６０は、例えばバネ鋼などの弾性を有する材料によって円盤状に形成されている。
ダイアフラムスプリング６０の中央部には、インプットシャフト１１等が挿入される開口が形成されている。
ダイアフラムスプリング６０の外径側の領域は、クラッチカバー３０のダイアフラムスプリング保持部３３とプレッシャープレート５０との間に配置されている。
ダイアフラムスプリング６０の内周縁部は、クラッチディスク４０のスプライン係合部４３よりもトランスミッション１０本体側において、レリーズベアリング７０と係合している。
【００２２】
レリーズベアリング７０は、ダイアフラムスプリング６０の内周縁部に係合するとともに、図示しないクラッチペダルの踏込に連動して、ダイアフラムスプリング６０の内周縁部をエンジンから遠ざかる方向に引き、プレッシャープレート５０がクラッチディスク４０を押圧する付勢力（クラッチ圧着力）を消失させ、クラッチ装置１を切断するものである。
【００２３】
また、クラッチカバー３０とプレッシャープレート５０との間には、以下説明するトルクカム機構Ｔが設けられている。
トルクカム機構Ｔは、クラッチカバー３０からプレッシャープレート５０を介してクラッチディスク４０へ伝達されるトルクに感応して、プレッシャープレート５０をクラッチディスク４０へ圧着させる推力を発生させるものである。
【００２４】
図２は、図１のII部矢視断面図であって、トルクカム機構Ｔをクラッチ装置１の回転軸に対する径方向から見た図である。
トルクカム機構Ｔは、クラッチカバー３０の円筒部３２の内周面におけるエンジン側の端部に形成されたカム３４と、プレッシャープレート５０の外周縁部におけるトランスミッション１０側の端部に形成されたカムフォロワ５２とを有して構成される。
【００２５】
図２に示すように、カム３４は、クラッチカバー３０からプレッシャープレート５０側へ、回転軸方向にほぼ沿って突出した突起として形成されている。
カム３４をクラッチカバー３０の径方向から見た形状は、先端側（プレッシャープレート５０側）が窄まった台形状となっている。
カムフォロワ５２は、カム３４の形状に適合するよう、プレッシャープレート５０の径方向から見たときに、プレッシャープレート５０を台形状に凹ませた凹部として形成されている。
カムフォロワ５２の内面と、カム３４との表面とは、不可避的に設けられる隙間を隔てて対向するように形成されている。
プレッシャープレート５０は、クラッチカバー３０に対して、カム３４とカムフォロワ５２との周方向における隙間によって許容される範囲内で、中心軸回りに相対回転可能となっている。
エンジンからトランスミッション１０への駆動トルクの伝達時に、カム３４からカムフォロワ５２へトルクを伝達する斜面が、周方向（図２における上下方向）に対してなす角度は、トルクカムによって得ることが必要な推力（クラッチディスクの圧着力）を考慮して設定される。
このようなトルクカム機構Ｔは、例えば、クラッチ装置１の周方向に分散して複数設けられる。
【００２６】
また、クラッチカバー３０とプレッシャープレート５０との間には、プレッシャープレート５０をクラッチカバー３０側に（クラッチディスク４０から離れる側に）付勢するリターンスプリングＳが設けられている。
リターンスプリングＳとして、例えばクラッチ装置１の回転軸方向に沿って配置され、両端部がクラッチカバー３０及びプレッシャープレート５０にそれぞれ連結された引張コイルバネを用いることができる。
実施例においては、リターンスプリングＳの中間部は、ダイアフラムスプリング６０に形成された開口内に挿入されている。
リターンスプリングＳは、エンジントルクが例えばＴ０以下の低トルク領域において、トルクカム機構Ｔが発生する推力をキャンセルし、実質的に倍力効果が生じないようにするものである。
【００２７】
以下、上述した実施例の効果を、以下説明する本発明の比較例のクラッチ装置と対比して説明する。
比較例において、上述した実施例と実質的に共通する箇所については同じ符号を付して説明を省略し、主に相違点について説明する。
比較例のクラッチ装置は、トルクカム機構（カム３４及びカムフォロワ５２）を設けていない点を除き、実質的に実施例のクラッチ装置と同様の構成を有する。
【００２８】
図３は、比較例のクラッチ装置におけるエンジントルクとクラッチ圧着力との相関を示すグラフである。
図３において、横軸はエンジントルクを示し、縦軸はクラッチプレートの圧着力を示している。また、図中において、トルク伝達に必要な圧着力を破線で示し、実際のクラッチ圧着力を実線で示している（図４において同じ）。
比較例においては、クラッチ圧着力は、ダイアフラムスプリング６０のバネ力によってのみ得ている。
このため、クラッチ圧着力は、エンジントルクに関わらず一定値となる。
【００２９】
例えば、図３に示すクラッチ圧着力Ｆ１とした仕様においては、伝達可能なエンジントルクの上限はＴ１となり、最大エンジントルクがＴ２となる高出力仕様の場合には、ダイアフラムスプリング６０のバネ定数を増加させて、クラッチ圧着力をＦ２とする必要がある。
しかし、このようにダイアフラムスプリング６０を強化すると、クラッチペダルの踏力が大きくなって操作性が損なわれてしまう。
また、エンジンの仕様ごとに異なった仕様のダイアフラムスプリング６０等を準備する必要が生じる。
【００３０】
図４は、実施例のクラッチ装置におけるエンジントルクとクラッチ圧着力との相関を示すグラフである。
実施例においては、エンジントルクがＴ０以上である中〜高トルク領域においては、トルクカム機構Ｔの推力により得られる倍力作用によって、クラッチ圧着力はエンジントルクの増大に応じて増加するため、エンジンの最大トルクがＴ１からＴ２に増加した場合であっても、ダイアフラムスプリング６０のバネ定数を増加させる必要がない。
また、エンジントルクがＴ０以下であり、ダイアフラムスプリング６０のみで十分なクラッチ圧着力が得られる低トルク領域においては、リターンスプリングＳがトルクカム機構Ｔの倍力効果をキャンセルし、クラッチ圧着力は一定値（図４の場合にはＦ１）となる。
【００３１】
以上説明した実施例によれば、高エンジントルク仕様の車両であってもクラッチ操作力を軽減することが可能であり、車両の操作性、扱いやすさを向上することができる。
また、エンジントルクに応じた倍力効果が得られることから、最大トルクの仕様違いによってクラッチ装置の仕様を異ならせる必要がなく、部品の共通化を図ることができる。
また、クラッチ圧着力を倍力することによって、大径化や多板化をしなくても伝達トルク容量を増加させることが可能であり、他部品の配置に影響を与えることなく高出力化に対応することができる。
また、要求される伝達トルク容量が同等である場合には、クラッチ装置を小型化することができる。
さらに、リターンスプリングＳによってエンジントルクがＴ０以下の低トルク領域ではトルクカム機構Ｔによる倍力効果をキャンセルしたことによって、発進時や空ぶかし時にトルクカム機構Ｔの推力によって意図しないクラッチ装置１の締結が生じることを防止でき、操作性をより一層向上することができる。
【００３２】
（変形例）
本発明は、以上説明した実施例に限定されることなく、種々の変形や変更が可能であって、それらも本発明の技術的範囲内である。
クラッチ装置の構成は上述した実施例の構成に限らず、適宜変更することが可能である。
例えば、トルクカム機構の形状やカムプロファイルは実施例の構成に限らず、適宜変更することができる。
また、実施例では、エンジンからトランスミッションへの駆動トルク、及び、トランスミッションからエンジン側へのバックトルクの両方に応じて倍力効果が得られるようにしているが、少なくとも駆動トルク側でのみ倍力効果が得られる設定としてもよい。
また、レリーズベアリングは実施例のようなプル式に限らずプッシュ式であってもよく、クラッチプレートの枚数なども特に限定されない。
また、本発明は、ドライバが脚力でクラッチ操作を行う手動変速機のクラッチ装置に限らず、アクチュエータによってクラッチ操作が行われる手動変速機ベースの自動変速機（ＡＭＴ）やダブルクラッチトランスミッション（ＤＣＴ）などのクラッチ装置にも適用することが可能である。この場合、アクチュエータの小容量化などが可能となる。
【符号の説明】
【００３３】
１    クラッチ装置                    １０    トランスミッション
１１    インプットシャフト              １１ａ  スプライン
１２    クラッチハウジング              ２０    フライホイール
３０    クラッチカバー                  ３１    外周縁部
３１ａ  ボルト                          ３２    円筒部
３３    ダイアフラムスプリング保持部    ３４    カム
４０    クラッチディスク                ４１    プレート
４２    摩擦材                          ４３    スプライン係合部
４４    ダンパ                          ５０    プレッシャープレート
５１    突起                            ５２    カムフォロワ
６０    ダイアフラムスプリング          ７０    レリーズベアリング
Ｔ    トルクカム機構                    Ｓ    リターンスプリング
【図１】
2015187476.tif 000003
【図２】
2015187476.tif 000004
【図３】
2015187476.tif 000005
【図４】
2015187476.tif 000006